(57)【要約】【課題】広い範囲に液体を蒸散できる加熱蒸散器を提供すること。【解決手段】加熱蒸散器１０は、薬液Ｌを収納する容器本体２１、及び、一部が容器本体２１に収容され、一部が容器本体２１の外に露出する吸液芯２２を備える薬液容器２０と、吸液芯２２の容器本体２１の外に配置される部分を加熱する加熱部４６と、容器本体２１に着脱可能に取り付けられ、少なくとも吸液芯２２の容器本体２１の外に露出する部分及び発熱体４１を内部に収納し、上部に蒸散口６３が形成され、かつ、内面６０ａに、下方から蒸散口６３に向かう螺旋状に構成される複数のリブ６４が設けられるカバー６０と、を備える。【選択図】      図３
2020198955.tif 000002
【特許請求の範囲】
【請求項１】
液体を収納する容器本体、及び、一部が容器本体に収容され、一部が前記容器本体の外に露出する吸液芯を備える容器と、
前記吸液芯の前記容器本体の外に配置される部分を加熱する加熱部と、
前記容器本体に着脱可能に取り付けられ、少なくとも前記吸液芯の前記容器本体の外に露出する部分及び前記加熱部を内部に収納し、上部に開口が形成され、かつ、内面に、下方から前記開口に向かう螺旋状に構成される複数のリブが設けられるカバーと、
を備える加熱蒸散器。
【請求項２】
前記カバーの前記内面の、前記開口から下方へ連続する少なくとも一部の範囲は、当該範囲の上下方向に直交する断面の、前記内面により囲まれる領域の面積が、上方に向かうにしたがい漸次小さくなる形状に構成される、請求項１に記載の加熱蒸散器。
【請求項３】
前記複数のリブのそれぞれの、前記内面からの上下方向に直交する方向の高さは、前記内面の前記複数のリブのそれぞれが形成される領域の上端から下端に向かって漸次高くなる、請求項１に記載の加熱蒸散器。
【請求項４】
前記加熱部は、前記吸液芯を内側に配置する形状に構成され、
前記複数のリブのそれぞれの下端は、前記加熱部の上端と同じ高さ位置、または、前記加熱部の前記上端よりも低い高さ位置に配置される、請求項１に記載の加熱蒸散器。
【請求項５】
前記加熱部は、前記吸液芯を内側に配置する形状に構成され、
前記一部の範囲の下端は、前記加熱部の上端と同じ高さ位置、または、前記加熱部の上端よりも低い高さ位置に配置され、
前記複数のリブのそれぞれの下端は、前記加熱部の前記上端と同じ高さ位置、または、前記加熱部の上前記端よりも低い高さ位置に配置される
請求項２に記載の加熱蒸散器。
【請求項６】
前記カバーの下端を覆い、かつ前記加熱部を支持する支持部を備え、
前記支持部は、前記吸液芯の前記容器本体の外に出る部分の一部を配置する孔、及び、前記孔の周方向に並ぶ複数の通気孔を有する
請求項１に記載の加熱蒸散器。
【発明の詳細な説明】
【技術分野】
【０００１】
本発明は、芳香剤等の薬液の蒸散を促進する加熱蒸散器に関する。
【背景技術】
【０００２】
芳香剤等の薬液の蒸散を促進する加熱蒸散器が知られている。このような加熱蒸散器としては、薬液を収納した薬液容器の上部にヒーター等の発熱体を設置する構成、及び発熱体を内部に収納するカバーの上部に形成された蒸散口を有する構成が知られている。加熱蒸散器は、発熱体により吸液芯を加熱することで、吸液芯により吸い上げられた薬液を加熱して気化させ、蒸散口から、発熱体により気化された薬液を外部に排出する。
【０００３】
また、この種の加熱蒸散器は、カバーの内面に、カバー内の気流を整流する整流手段を設けるものが知られている（例えば、特許文献１参照）。
【先行技術文献】
【特許文献】
【０００４】
【特許文献１】特開２０００―２７０７５０号公報
【発明の概要】
【発明が解決しようとする課題】
【０００５】
加熱蒸散器は、当該加熱蒸散器が設置される部屋等の室空間部の広範囲に、薬液を蒸散することが求められる。
【０００６】
この為、本発明は、広い範囲に液体を蒸散可能な加熱蒸散器を提供することを目的とする。
【課題を解決するための手段】
【０００７】
本発明の加熱蒸散器は、液体を収納する容器本体、及び、一部が容器本体に収容され、一部が前記容器本体の外に露出する吸液芯を備える容器と、前記吸液芯の前記容器本体の外に配置される部分を加熱する加熱部と、前記容器本体に着脱可能に取り付けられ、少なくとも前記吸液芯の前記容器本体の外に露出する部分及び前記加熱部を内部に収納し、上部に開口が形成され、かつ、内面に、下方から前記開口に向かう螺旋状に構成される複数のリブが設けられるカバーと、を備える。
【発明の効果】
【０００８】
本発明によれば、広い範囲に液体を蒸散できる加熱蒸散器を提供できる。
【図面の簡単な説明】
【０００９】
【図１】本発明の一実施形態に係る加熱蒸散器の構成を示す斜視図。
【図２】本実施形態の加熱蒸散器の構成を分解して示す斜視図。
【図３】本実施形態の加熱蒸散器の構成を示す断面図。
【図４】本実施形態の加熱蒸散器に用いられるカバー及び発熱体支持部の構成を示す下面図。
【図５】本実施形態の発熱体支持部の構成を示す斜視図。
【図６】本実施形態の発熱体支持部の構成を示す斜視図。
【図７】本実施形態の発熱体支持部の構成を示す下面図。
【図８】本実施形態のカバーの構成を示す平面図。
【図９】本実施形態のカバーの構成を示す下面図。
【発明を実施するための形態】
【００１０】
一実施形態に係る加熱蒸散器１０を、図１乃至図９を用いて説明する。図１は、加熱蒸散器１０の構成を示す斜視図である。図２は、加熱蒸散器１０の構成を分解して示す斜視図である。図３は、加熱蒸散器１０の構成を、薬液容器２０以外の構成のみ切断して示す断面図である。図４は、加熱蒸散器１０に用いられるカバー６０及び発熱体支持部５０の構成を示す下面図である。図５は、発熱体支持部５０の構成を前方から見た状態を示す斜視図である。図６は、発熱体支持部５０の構成を後方から見た状態を示す斜視図である。図７は、発熱体支持部５０の構成を示す下面図である。図８は、カバー６０の構成を示す平面図である。図９は、カバー６０の構成を示す下面である。
【００１１】
図１乃至図３に示すように、加熱蒸散器１０は、薬液Ｌを収納した薬液容器２０と、薬液容器２０の上部に着脱可能に取り付けられ、薬液Ｌの気化を促進させる加熱蒸散器本体３０と、を備えている。薬液Ｌは、加熱蒸散器１０により蒸散する液体の一例である。薬液Ｌは、例えば、芳香剤である。
【００１２】
薬液容器２０は、図２及び図３に示すように、薬液Ｌを収納する容器本体２１と、容器本体２１に設けられる吸液芯２２と、を備えている。容器本体２１は、筒状の第１の胴部２３と、第１の胴部２３の下端に形成される底壁部２４と、第１の胴部２３の上部に形成されるねじ部２５と、を有する。
【００１３】
第１の胴部２３は、例えば、上下方向に直交する断面が一方向に長い矩形状となる筒状に構成される。第１の胴部２３の長手方向に沿う１つの側面には、突出部２６が形成される。突出部２６は、例えば、長円状に構成される。
【００１４】
なお、加熱蒸散器１０の上下方向は、加熱蒸散器１０を水平な平面に載置したときの重力方向と平行となる方向である。加熱蒸散器１０は、使用状態において、加熱蒸散器１０の上下方向が重力方向と平行または略平行となる姿勢で使用される。
【００１５】
底壁部２４は、第１の胴部２３の下端を閉塞する。  
ねじ部２５は、加熱蒸散器１０の未使用時等に、吸液芯２２を覆う蓋部材が螺合可能に構成される。ねじ部２５は、筒状に構成され、外周面に雄ネジが形成される。ねじ部２５は、第１の胴部２３と同軸に配置される。ねじ部２５は、例えば、第１の胴部２３の短手方向に沿う長さより若干小さい径を有する形状に構成される。この為、ねじ部２５の下端と、第１の胴部２３の上端の短手方向に沿う縁部との間には、これらをなだらかに連続する肩部２７が形成される。なお、図３では、ねじ部２５は、雄ネジを省略して示している。
【００１６】
ねじ部２５の上端には、吸液芯２２を配置する第１の孔２８が形成される。第１の孔２８は、容器本体２１内に連通する。
【００１７】
吸液芯２２は、一方向に長い棒状に構成される。吸液芯２２は、第１の孔２８を通して容器本体２１に取り付けられる。吸液芯２２は、その一部が容器本体２１内に収納され、他の一部が容器本体２１外へ配置される。
【００１８】
また、吸液芯２２は、例えば、吸液芯２２の軸線が上下方向に沿う姿勢で第１の孔２８に位置決めされてもよい。ここで言う位置決めは、少なくとも、吸液芯２２の、第１の孔２８の径方向の移動が防止されることである。この規制の一例として、吸液芯２２は、例えば、第１の孔２８に固定されてもよい。吸液芯２２が第１の孔２８に固定される構成の場合では、この固定の手段は位置決めの手段の一例であり、例えば、吸液芯２２を第１の孔２８に嵌合することである。なお、吸液芯２２の第１の孔２８への位置決めの手段は、限定されない。
【００１９】
加熱蒸散器本体３０は、発熱体ユニット４０と、発熱体ユニット４０を支持する発熱体支持部５０と、カバー６０と、を備えている。
【００２０】
発熱体ユニット４０は、発熱体４１と、発熱体４１を制御する制御部４２と、プラグ４３と、備えている。発熱体４１は、後述する加熱部４６を有し、加熱部４６を昇温可能に構成される装置である。発熱体４１は、外郭体４４と、発熱体支持部５０に支持される被支持部４５と、加熱部４６と、を備えている。
【００２１】
外郭体４４は、図２に示すように、例えば樹脂材料で形成されている。外郭体４４は、内部に加熱部４６を配置する第２の孔４４ａを有している。第２の孔４４ａは、外郭体４４を貫通する。外郭体４４は、一方向に長い形状に構成される。
【００２２】
被支持部４５は、例えば複数、具体例として２つ、外郭体４４に形成される。被支持部４５は、例えば、外郭体４４の長手方向に沿う両側面のそれぞれから突出する突出部に構成される。被支持部４５は、それぞれ、ねじを配置する第３の孔４５ａが形成される。
【００２３】
加熱部４６は、吸液芯２２を加熱可能に構成される。加熱部４６は、例えば、内側に吸液芯２２の一部を配置する形状に構成される。加熱部４６は、吸液芯２２の一部を内側に配置する形状の一例として、環状に構成される。加熱部４６は、制御部４２から供給される電力により昇温可能に構成される。加熱部４６は、好ましくは、その内面が吸液芯２２に接触しない大きさを有する。加熱部４６は、外郭体４４に支持される。加熱部４６は、例えば、その外周側が外郭体４４内に収納され、その内周側が露出する。加熱部４６の内周面は、外郭体４４の第２の孔４４ａの内側に配置される。加熱部４６の上端４６ａは、外郭体４４の上面と上下方向に同じ高さ位置に配置される。
【００２４】
制御部４２は、プラグ４３及び加熱部４６に電気的に接続される。制御部４２は、プラグ４３を介して供給される電力により駆動し、加熱部４６の温度を昇温する。制御部４２は、加熱部４６を、吸液芯２２に含まれる薬液Ｌの蒸発を促進させる温度まで、昇温可能に構成される。
【００２５】
プラグ４３は、制御部４２に電気的に接続され、電力供給部のソケットに挿入可能に構成される。電力供給部のソケットは、例えば家庭用の電力供給のコンセントである。このように構成された発熱体ユニット４０は、例えば、ＰＴＣヒーターである。
【００２６】
発熱体支持部５０は、図２に示すように、容器本体２１のねじ部２５を収納する収納部５１と、発熱体４１が固定される第１の固定部５２と、制御部４２及びプラグ４３が固定される第２の固定部５３と、を有している。
【００２７】
収納部５１は、図５乃至図７に示すように、筒状に構成される第２の胴部５４と、第２の胴部５４の上部に形成され、第２の胴部５４内の空間の上部を覆う第１の上壁部５５と、を有している。
【００２８】
第２の胴部５４は、その内周面が、内部に収納したねじ部２５の外周面との間に所定の隙間Ｓを有する筒形状に構成される。第２の胴部５４は、例えば、矩形の筒状に構成される。
【００２９】
第２の胴部５４の下端には、外側に延出するフランジ部５６が形成される。フランジ部５６は、第２の胴部５４の下端の、容器本体の肩部２７に対向する領域にそれぞれ形成される。
【００３０】
２つのフランジ部５６間には、容器本体２１の突出部２６に係合可能に構成される係合部５７が形成される。係合部５７は、具体的には、２つのフランジ部５６の、２つのフランジ部５６が並ぶ方向に直交する方向で一端から下方に延出する枠状に構成される。
【００３１】
係合部５７は、加熱蒸散器本体３０が薬液容器２０に取り付けられたときに、係合部の下縁部５７ａが、容器本体２１の突出部２６の下方に配置される。この為、加熱蒸散器本体３０を薬液容器２０に対して上方に移動したときに、下縁部５７ａが突出部２６に当接することで、加熱蒸散器本体３０が薬液容器２０から外れにくくする。
【００３２】
なお、係合部５７は、加熱蒸散器１０のプラグ４３を家庭用コンセントに差し込んで使用される状態において、容器本体２１の下面がいずれにも接触せず浮いた状態となると、突出部２６の下面に当接する。係合部５７及び突出部２６の係合は、このように、容器本体２１の下面が浮いた状態となる使用においても、解除されることがない強度の係合である。なお、係合部５７は、薬液Ｌがなくなった場合等に薬液容器２０を加熱蒸散器本体３０から取り外す際に、薬液容器２０に対して加熱蒸散器本体３０を所定の力で上方に移動すると、解除されるよう、構成される。
【００３３】
第１の上壁部５５は、第２の胴部５４の上部に形成される。第１の上壁部５５の、収納部５１内に面する面となる下面５５ｂは、発熱体支持部５０が容器本体２１に取り付けられた状態において、図３に示すように、容器本体２１のねじ部２５の上端との間に隙間を有する。この隙間の上下方向の幅、換言すると、下面５５ｂからねじ部２５の上端までの上下方向の距離は、例えば、１ｍｍである。
【００３４】
加熱蒸散器１０が床や机等に載置された状態では、係合部５７及び突出部２６の当接が解除され、下面５５ｂがねじ部２５の上端に当接することで、発熱体支持部５０が薬液容器２０に支持される。第１の上壁部５５の中央には、容器本体２１から露出する吸液芯２２の一部を配置可能な第４の孔５５ａが形成される。
【００３５】
なお、本実施形態では、加熱蒸散器１０が床や机等の載置部に載置された状態では、第１の上壁部５５の下面５５ｂがねじ部２５の上端に当接することで、発熱体支持部５０が薬液容器２０に支持される構成が一例として説明されたが、これに限定されない。他の例では、第２の胴部５４の下端、またはフランジ部５６が容器本体２１に当接することで、発熱体支持部５０が薬液容器２０に支持される構成であってもよい。
【００３６】
第１の固定部５２は、第２の胴部５４及びフランジ部５６と一体に形成され、第２の胴部５４の第１の上壁部５５の上面よりも上方に突出する突出部に構成される。第１の固定部５２は、第１の上壁部５５の、第４の孔５５ａを挟んで係合部５７と反対側に形成される。
【００３７】
第１の固定部５２は、発熱体４１の被支持部４５と同数形成される。第１の固定部５２は、本実施形態では、２つ形成される。一方の第１の固定部５２は、発熱体４１の一方の被支持部４５と上下方向に対向する位置に形成される。他方の第１の固定部５２は、他方の被支持部４５と上下方向に対向する位置に形成される。
【００３８】
第１の固定部５２は、その上面に、発熱体４１の被支持部４５の第３の孔４５ａに嵌合する突出部５２ａが形成される。第１の固定部５２及び突出部５２ａは、ねじを配置可能な第５の孔５２ｂが形成される。
【００３９】
第２の固定部５３は、図６に示すように、第２の胴部５４の、第４の孔５５ａを挟んで係合部５７と反対側に一体に形成される。具体的には、第２の固定部５３は、第２の胴部５４の外面から突出したリブ、第２の胴部５４の下端から下方に延出した壁部等により構成される。第２の固定部５３は、図１に示すように、薬液容器２０の第１の胴部２３の、突出部２６を有する側面と相対する側面の一部を覆う。
【００４０】
このように構成される発熱体支持部５０は、第１の上壁部５５の第４の孔５５ａの周方向に並ぶ複数の通気孔５８が形成される。通気孔５８は、具体例として、図５乃至図７に示すように、第２の胴部５４の２つのフランジ部５６の間の領域の一方に形成される第１の通気孔５８ａと、第２の胴部５４の第１の通気孔５８ａを挟んで両側の領域及びフランジ部５６のそれぞれに形成される複数の第２の通気孔５８ｂと、第１の上壁部５５の、２つの第１の固定部５２の間の領域に形成される複数の第３の通気孔５８ｃと、を有する。
【００４１】
第２の通気孔５８ｂは、第１の通気孔５８ａを挟んだ両側のそれぞれに、例えば３つ形成される。第３の通気孔５８ｃは、例えば、２つ形成される。
【００４２】
図１に示すように、カバー６０は、少なくとも、吸液芯２２の容器本体２１の外に露出する部分及び加熱部４６の両方を内部に収納可能に構成される。カバー６０は、本実施形態では、下端が開口し、かつ、加熱蒸散器本体３０が薬液容器２０に取り付けられた状態で、少なくとも、発熱体４１のうち温度が高くなる部分である加熱部４６及び吸液芯２２の容器本体２１の外に露出する部分の両方を内側に収納可能に構成される。
【００４３】
本実施形態では、カバー６０は、薬液容器２０の一部、発熱体ユニット４０のプラグ４３を除く構成、及び発熱体支持部５０の一部、及び発熱体ユニット４０を内部に収納する形状に構成される。
【００４４】
また、カバー６０は、上下方向に直交する断面の、カバー６０の内面６０ａに囲まれる領域の面積が、加熱部４６の上端４６ａと同じ高さ位置、または上端４６ａよりも低い位置から上方に向かうにつれて漸次小さくなる形状に構成される。
【００４５】
換言すると、カバー６０の内面６０ａの、蒸散口６３から下方の蒸散口６３に連続する少なくとも一部の範囲は、上下方向に直交する断面の内面６０ａに囲まれる領域の面積が、上方に向かい減少する形状に形成される。さらに、この範囲の下端は、加熱部４６の上端４６ａと同じ高さ位置、または、上端４６ａよりも低い高さ位置に配置される。
【００４６】
具体例として、カバー６０は、図３に示すように、第３の胴部６１と、第３の胴部６１の上端に形成される第２の上壁部６２と、を有する。
【００４７】
第３の胴部６１は、上下方向に直交する断面が例えば矩形状に構成され、かつ、第３の胴部６１の上下方向の下端から上端に向かうにつれて、上下方向に直交する断面の、第３の胴部６１の内面６１ａにより囲まれる領域の面積が、漸次小さくなる筒状に構成される。
【００４８】
第２の上壁部６２は、上方に突出する椀状に構成される。第２の上壁部６２は、上下方向に直交する断面が例えば矩形状に構成され、かつ、第２の上壁部６２の下端から上端に向かうにつれて、上下方向に直交する断面の、第２の上壁部６２の内面６２ａに囲まれる領域の面積が、漸次小さくなる形状に構成される。内面６１ａ、６２ａは、内面６０ａの一部である。
【００４９】
ここで、カバー６０の上下方向に直交する断面の、カバー６０の内面６０ａにより囲まれる領域をＲとする。第３の胴部６１の上下方向に直交する断面の、第３の胴部６１の内面６１ａにより囲まれる領域をＲ１とし、第２の上壁部６２の上下方向に直交する断面の、第２の上壁部６２の内面６２ａにより囲まれる領域をＲ２とする。
【００５０】
領域Ｒ１、Ｒ２は、領域Ｒの一部である。領域Ｒ２の面積の下方から上方への減少の程度は、領域Ｒ１の面積の下方から上方への減少の程度に比較して大きい。ここで言う減少の程度が大きいとは、上下方向に単位距離ずれた２つの位置の上方の位置での領域Ｒの面積を下方の位置での領域Ｒの面積で除算した値に基づく。この除算した値が小さいほど、減少の程度が大きいことを示す。換言すると、第２の上壁部６２は、第３の胴部６１に比較して、上方に向かって先細りする形状に構成される。
【００５１】
第２の上壁部６２の内面６２ａの下端６２ｂは、加熱部４６の上端４６ａと同じ高さ位置、または、上端４６ａよりも低い高さ位置に位置する。本実施形態では、下端６２ｂは、加熱部４６の上端４６ａよりも下方に位置する。本実施形態では、外郭体４４の上端及び加熱部４６の上端４６ａは同じ高さ位置に位置する。そして、外郭体４４の上端及び加熱部４６の上端４６ａが発熱体４１の上端４１ａを構成する。この為、換言すると、発熱体４１の上端４１ａは、カバー６０の内部空間の内、領域Ｒの減少率が比較的大きい位置に配置される。なお、図３中では、発熱体４１は、周囲の構成の説明の為、２点鎖線で示している。
【００５２】
また、第３の胴部６１の、第２の固定部５３に対向する領域には、第２の固定部５３及び制御部４２に応じて、外側に張り出す形状に構成される。
【００５３】
第３の胴部６１の下端縁６１ｂの一部は、発熱体支持部５０の、フランジ部５６の外縁、係合部５７、及び、第２の固定部５３の縁の一部に沿う形状に構成される。第３の胴部６１の下端縁６１ｂの他部は、第２の固定部５３のとの間に、プラグ４３を配置する開口６１ｃを形成する形状に構成される。
【００５４】
なお、第３の胴部６１の一部は、フランジ部５６、係合部５７との間に隙間を有してもよい。本実施形態では、図４に示すように、第３の胴部６１は、フランジ部５６との間に、隙間Ｓ１、Ｓ２を有する。また、第３の胴部６１は、係合部５７との間に、隙間Ｓ３を有する。
【００５５】
図８に示すように、カバー６０の第２の上壁部６２の中央部には、蒸散口６３が形成される。蒸散口６３は、例えば、図３に示すように、蒸散口６３の中心が、薬液容器２０の第１の孔２８の軸線上に配置される。本実施形態では、一例として、吸液芯２２が、第１の孔２８と同軸となる位置に位置決められている。この為、蒸散口６３の中心は、吸液芯２２の軸線上に配置される。
【００５６】
蒸散口６３は、一例として、蒸散口６３の中心から上下方向に直交する３方向に突出する形状に構成される。換言すると、蒸散口６３は、周方向に並ぶ３つの孔６３ａが、それぞれ、第２の上壁部６２の中央で連通する形状に構成される。
【００５７】
図３及び図９に示すように、カバー６０の内面６０ａの、領域Ｒの面積が上方に向かい漸次小さくする範囲には、蒸散口６３の周囲から、蒸散口６３を中心とした径方向外側に延びる複数のリブ６４が形成される。複数のリブ６４は、内面６０ａに沿って延びる。また、複数のリブ６４は、蒸散口６３が第２の上壁部６２に形成されることから、内面６２ａの内面に沿って下方に延びる。リブ６４は、例えば６個形成される。
【００５８】
複数のリブ６４は、下方から見た形状が、吸液芯２２から気化した薬液Ｌを蒸散口６３に導く湾曲した形状に構成される。複数のリブ６４の形状について具体的に説明する。ここで、内面６０ａの各リブ６４が形成される領域の下端を第１の下端６４ａとし、上端を第１の上端６４ｂとする。各リブ６４は、図９に示すように下方から見た形状が、第１の下端６４ａから第１の上端６４ｂにかけて、同方向に突出する湾曲形状に構成される。さらに具体的に説明すると、各リブ６４は、図中矢印Ｄで示すように、一例として、蒸散口６３回りに反時計回り方向に突出する湾曲状に構成される。換言すると、各リブ６４は、螺旋状に構成される。また、各リブ６４は、例えば、カバー６０を射出成型で成型可能とするべく、カバー６０を型抜きできるよう考慮された形状に構成される。
【００５９】
次に、複数のリブ６４の下端を第２の下端６４ｃとし、内面６０ａの各リブ６４が形成される領域の下端である第１の下端６４ａ及び第２の下端６４ｃの位置について説明する。内面６０ａの各リブ６４が形成される領域の下端である第１の下端６４ａ及び複数のリブ６４のそれぞれの第２の下端６４ｃは、加熱部４６の上端４６ａと同じ高さ位置、または、上端４６ａよりも低い高さ位置に配置される。本実施形態では、複数のリブ６４は、一例として、第２の上壁部６２の内面６２ａに形成され、第３の胴部６１の内面６１ａには、形成されない。
【００６０】
本実施形態では、一例として、内面６０ａのリブ６４が形成される複数の領域のそれぞれの第１の下端６４ａ及び複数のリブ６４のそれぞれの第２の下端６４ｃは、上下方向に、内面６２ａの下端６２ｂと同位置に配置される。換言すると、本実施形態では、複数のリブ６４のそれぞれの第２の下端６４ｃは、カバー６０の上下方向に直交し、下端６２ｂを通る平面内に配置される直線状に構成される。
【００６１】
次に、複数のリブ６４のそれぞれの高さ寸法について説明する。図３に示すように、複数のリブ６４のそれぞれの、内面６０ａからの高さ寸法をＨとする。ここで言う高さ寸法Ｈは、内面６０ａからの上下方向に直交する方向に沿う高さである。高さ寸法Ｈは、内面６０ａの複数のリブ６４が形成される領域のそれぞれの第１の上端６４ｂから第１の下端６４ａに向けて、漸次高くなる。
【００６２】
また、本実施形態では、内面６０ａの複数のリブ６４のそれぞれが形成される領域の第１の上端６４ｂでのリブ６４の高さ寸法Ｈは、一例として、図３に示すようにゼロまたは略ゼロである。
【００６３】
また、カバー６０の内面６０ａには、発熱体支持部５０を、ねじで固定する第３の固定部６５が形成される。第３の固定部６５は、発熱体支持部５０の第１の固定部５２と同数が形成される。一方の第３の固定部６５は、一方の第１の固定部５２と上下方向に対向する位置に形成される。他方の第３の固定部６５は、他方の第１の固定部５２と上下方向に対向する位置に形成される。
【００６４】
次に、加熱蒸散器１０の組み立て方法の一例を説明する。  
まず、発熱体ユニット４０を発熱体支持部５０に取り付ける。具体的には、発熱体支持部５０の第２の固定部５３に、発熱体ユニット４０の制御部４２を固定する。
【００６５】
次に、発熱体支持部５０の２つの第１の固定部５２のそれぞれに、発熱体４１の被支持部４５を配置し、第１の固定部５２の突出部５２ａを被支持部４５の第３の孔４５ａ内に嵌合する。突出部５２ａを第３の孔４５ａに嵌合することで、発熱体４１が発熱体支持部５０に仮固定される。
【００６６】
次に、発熱体ユニット４０及び発熱体支持部５０を、カバー６０内に収納する。このとき、発熱体支持部５０の第２の固定部５３及び制御部４２を、カバー６０の外側に張り出した部分の内側に収納し、発熱体ユニット４０の一方の被支持部４５を、カバー６０の一方の第３の固定部６５に対向させ、他方の被支持部４５を他方の第３の固定部６５に対向させる。この位置合わせにより、第３の固定部６５と、発熱体支持部５０の第１の固定部５２と、が被支持部４５を介して対向する。
【００６７】
次に、ねじを、第１の固定部５２の孔及び被支持部４５の孔を挿通させて第３の固定部６５のねじ孔に螺合させる。これにより、発熱体４１、発熱体支持部５０、及びカバー６０が一体に固定される。これにより、加熱蒸散器本体３０の組み立てが完了する。
【００６８】
次に、薬液容器２０から、吸液芯２２を覆う蓋部材を取り外す。次に、薬液容器２０上に、加熱蒸散器本体３０を取り付ける。具体的には、容器本体２１のねじ部２５を、第２の胴部５４内に収納し、吸液芯２２の容器本体２１から外に出る部分を、収納部５１の第１の上壁部５５の第４の孔５５ａ、及び発熱体４１の加熱部４６内に配置し、係合部５７の内側に、容器本体２１の突出部２６を配置する。これにより、加熱蒸散器１０の組み立てが完了する。
【００６９】
次に、加熱蒸散器１０の動作を説明する。  
ユーザは、加熱蒸散器１０を使用する際には、プラグ４３を、鉛直方向に平行な面に配置される例えば家庭用コンセント等に挿入する。プラグ４３が家庭用コンセントに挿入された状態では、加熱蒸散器１０の姿勢は、加熱蒸散器１０の上下方向が重力方向に平行または略平行となる姿勢となる。
【００７０】
加熱蒸散器１０は、プラグ４３が家庭用コンセント等に挿入されることで、制御部４２が加熱部４６を昇温する。加熱部４６は、吸液芯２２に吸い上げられた薬液Ｌの気化を促進する温度まで昇温される。
【００７１】
加熱部４６に対向する吸液芯２２が、加熱部４６により加熱されることで、容器本体２１から吸い上げた薬液Ｌが気化される。気化された薬液Ｌは、カバー６０内の上方に移動する。このとき、カバー６０の内面６０ａに形成された、螺旋状に構成される複数のリブ６４により、気化した薬液Ｌは、螺旋状の移動軌跡を形成しながら、蒸散口６３まで導かれる。また、気化した薬液Ｌが、螺旋の移動軌跡を形成することで、気化した薬液Ｌのカバー６０内の移動経路長さが長くなる。結果、カバー６０内に溜まる、気化した薬液Ｌの量が多くなることで、カバー６０内の蒸散口６３の周囲の圧力が高くなる。
【００７２】
蒸散口６３まで導かれた気化した薬液Ｌは、カバー６０内の圧力によって、蒸散口６３を通してカバー６０の外の上方に、直線状に排出される。排出された、気化した薬液Ｌは、部屋の広範囲に拡散される。
【００７３】
また、加熱蒸散器１０の外部の空気は、主に、加熱蒸散器本体３０及び薬液容器２０の間の隙間を通って、通気孔５８を通って、発熱体支持部５０及びカバー６０の間の空間内に移動する。具体的には、第１の通気孔５８ａ、複数の第２の通気孔５８ｂ、及び複数の第３の通気孔５８ｃを通って、発熱体支持部５０及びカバー６０間の空間内に移動する。
【００７４】
第１の通気孔５８ａ、複数の第２の通気孔５８ｂ、及び複数の第３の通気孔５８ｃが、発熱体支持部５０の第４の孔５５ａの周方向に並ぶことから、第１の通気孔５８ａ、複数の第２の通気孔５８ｂ、及び複数の第３の通気孔５８ｃを通って、発熱体支持部５０及びカバー６０間の空間に移動した空気は、発熱体４１の加熱部４６内に、周方向から侵入する。
【００７５】
このように構成される本実施形態の加熱蒸散器１０では、カバー６０の内面６０ａに複数の螺旋状のリブ６４が形成されることで、加熱部４６により加熱されて気体となった薬液Ｌは、複数の螺旋状のリブ６４に沿って蒸散口６３に導かれる為、カバー６０内での蒸散口６３までの移動経路が螺旋状の軌跡を構成する。この為、気体となった薬液Ｌのカバー６０内での移動経路長が長くなる為、カバー６０内の、気体となった薬液Ｌの量が、複数のリブ６４を有さない構成に比較して多くなる。結果、カバー６０内の、蒸散口６３の付近の圧力が高くなることで、蒸散口６３から外部に排出される、気体となった薬液Ｌの上昇高さを向上できる。この為、加熱蒸散器１０が設置される室空間部内の広範囲に、気体となった薬液を拡散することが可能となる。
【００７６】
さらに、カバー６０の上下方向に直交する断面の、カバー６０の内面６０ａに囲まれる領域の面積は、下方から蒸散口６３に向かうにつれて漸次小さくなる。この為、カバー６０内の、蒸散口６３の近傍の圧力を、より一層高めることが可能となるので、蒸散口６３から外部に排出される、気体となった薬液Ｌをより高い位置まで上昇させることが可能となる。結果、気体となった薬液Ｌを、広範囲に拡散することが可能となる。
【００７７】
さらに、複数のリブ６４の第２の下端６４ｃは、加熱部４６の上端４６ａと上下方向で同じ高さ位置、または、上端４６ａよりも低い高さ位置に配置される。この為、加熱部４６により加熱されて気化した薬液Ｌは、発熱体４１から出た直後から、複数のリブ６４により移動が案内される。結果、気体となった薬液Ｌをスムーズに蒸散口６３まで導くことが可能となるので、カバー６０内に乱流が生じることを抑制できる。結果、蒸散口６３から排出された、気化した薬液をより高い位置まで上昇させることが可能となる。
【００７８】
さらに、第２の上壁部６２の、上下方向に直交する断面の内面６２ａに囲まれる領域Ｒ２の面積の、上方へ向かうにしたがい減少する減少の程度が、第３の胴部６１の、上下方向に直交する断面の内面６１ａに囲まれる領域Ｒ１の面積の、上方へ向かうにしたがい減少する減少の程度より高く、内面６２ａの下端６２ｂが、加熱部４６の上端４６ａと上下方向で同じ高さ位置または上端４６ａよりも低い高さ位置に配置されることで、加熱部４６から出た、気体状の薬液Ｌが、内面６２ａによっても、蒸散口６３にスムーズに導かれる。この為、カバー６０内に乱流が生じることを抑制できる。結果、蒸散口６３から排出された、気化した薬液をより高い位置まで上昇させることが可能となる。
【００７９】
さらに、複数のリブ６４のそれぞれの高さ寸法Ｈは、カバー６０の内面６０ａのリブ６４が形成される領域の第１の上端６４ｂから第１の下端６４ａに向けて漸次高くなる。換言すると、リブ６４の高さ寸法Ｈは、蒸散口６３に近づくに従い低くなる。結果、複数のリブ６４により案内を受けない、気体となった薬液Ｌの蒸散口６３までの流れの抵抗を小さくできる。
【００８０】
この効果について、具体的に説明する。発熱体４１により気体となった薬液Ｌのうち、主に内面６０ａに近傍を流れる気体となった薬液Ｌが、複数のリブ６４により蒸散口６３に案内される。そして、複数のリブ６４による案内を受けない気体となった薬液Ｌの蒸散口６３までの流れに対して、複数のリブ６４は、抵抗となる。
【００８１】
しかしながら、本実施形態では、複数のリブ６４の高さ寸法Ｈが、蒸散口６３に向かうに従い低くなるので、複数のリブ６４の案内を受けない気体となった薬液Ｌの流れの対向を小さくできる。結果、カバー６０内に乱流が生じることを抑制できるので、蒸散口６３から排出された、気化した薬液をより高い位置まで上昇させることが可能となる。
【００８２】
さらに、発熱体支持部５０に、吸液芯２２が配置される第４の孔５５ａの周方向に並ぶ複数の通気孔５８が形成されることで、発熱体支持部５０及びカバー６０間の空間内に、吸液芯２２に向かって周方向外側からバランスよく空気を供給可能となる。結果、カバー６０の蒸散口６３の周囲で乱流が生じることを抑制できる。結果、蒸散口６３から排出された、気化した薬液をより高い位置まで上昇させることが可能となる。
【００８３】
なお、本実施形態では、加熱蒸散器１０は、芳香剤等の薬液の気化を促進させる構成を一例として説明したが、これに限定されない。加熱蒸散器１０は、例えば薬液以外の液体の気化を促進してもよい。この構成の場合は、薬液容器２０は、薬液以外の液体を収納する。
【００８４】
また、本実施形態では、加熱蒸散器１０は、カバー６０の内面６０ａの、蒸散口６３から下方へ連続する少なくとも一部の範囲の上下方向に直交する断面の、内面６０ａにより囲まれる領域の面積が、上方に向かうにしたがい漸次小さくなる構成として、下端から上端まで、上下方向に直交する断面の内面６１ａにより囲まれる領域の面積が上方に向かうにしたがい漸次小さくなる第３の胴部６１と、上下方向に直交する断面の内面６２ａにより囲まれる領域の面積が上方に向かうにしたがい漸次小さくなる第２の上壁部６２と、を有する構成が一例として説明したが、これに限定されない。
【００８５】
すなわち、本実施形態では、カバー６０の下端から上端まで、上下方向に直交する断面の内面６０ａに囲まれる領域の面積が上方に向かうに従い小さくなる形状が一例として説明された。
【００８６】
他の例では、第３の胴部６１が上端から下端まで、上下方向に直交する断面が一定の形状に構成されてもよい。または、他の例では、カバー６０が、円錐や三角錐等の先細形状に構成されてもよい。
【００８７】
また、本実施形態では、加熱蒸散器１０では、複数のリブ６４のそれぞれは、内面６０ａの複数のリブ６４のそれぞれが形成される領域の上端である第１の上端６４ｂでの、上下方向に直交する方向の高さ寸法Ｈが、ゼロまたは略ゼロである構成が一例として説明されたが、これに限定されない。他の例では、複数のリブ６４のそれぞれは、第１の上端６４ｂでの、上下方向に直交する高さ寸法Ｈが、ゼロより大きい値であってもよい。
【００８８】
また、本実施形態では、第２の上壁部６２の内面６２ａの下端６２ｂは、加熱部４６の上端４６ａと同じ高さ位置、または、上端４６ａよりも低い高さ位置に配置され、複数のリブ６４のそれぞれの第２の下端６４ｃは、加熱部４６の上端４６ａと同じ高さ位置、または、上端４６ａよりも低い高さ位置に配置される構成が一例として説明されたが、これに限定されない。
【００８９】
加熱部４６の上端４６ａの高さ位置が、外郭体４４の上面の高さ位置と異なる構成である場合は、例えば、第２の上壁部６２の内面６２ａの下端６２ｂは、外郭体４４の上面と同じ高さ位置、または、外郭体４４の上面よりも低い高さ位置に配置され、複数のリブ６４のそれぞれの第２の下端６４ｃは、外郭体４４の上面と同じ高さ位置、または、外郭体４４の上面よりも低い高さ位置に配置される構成であってもよい。
【００９０】
例えば、外郭体４４の上面の高さ位置が加熱部４６の上端４６ａの高さ位置よりも高い場合は、加熱部４６によって気化された薬液Ｌは、加熱部４６よりも上方に移動した後、外郭体４４の上面に形成された第２の孔４４ａを通って発熱体４１の外に出る。
【００９１】
この為、第２の上壁部６２の内面６２ａの下端６２ｂが、外郭体４４の上面と同じ高さ位置、または、外郭体４４の上面よりも低い高さ位置に配置され、複数のリブ６４のそれぞれの第２の下端６４ｃが、外郭体４４の上面と同じ高さ位置、または、外郭体４４の上面よりも低い高さ位置に配置される構成である場合、第２の孔４４ａを通って発熱体４１の外に出た気化された薬液Ｌは、第２の上壁部６２の内面６２ａ及び複数のリブ６４により、蒸散口６３にスムーズに導かれる。
【００９２】
または、加熱部４６の上端４６ａの高さ位置が、外郭体４４の上面の高さ位置と異なる構成である場合は、例えば、第２の上壁部６２の内面６２ａの下端６２ｂは、外郭体４４の上面及び加熱部４６の上端４６ａのうち高い方と同じ高さ位置、または、外郭体４４の上面及び加熱部４６の上端４６ａのうち高い方よりも低い高さ位置に配置され、複数のリブ６４のそれぞれの第２の下端６４ｃは、外郭体４４の上面及び加熱部４６の上端４６ａのうち高い方と同じ高さ位置、または、外郭体４４の上面及び加熱部４６の上端４６ａのうち高い方よりも低い高さ位置に配置される構成であってもよい。
【００９３】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【００９４】
１０…加熱蒸散器、２０…薬液容器、２１…容器本体、２２…吸液芯、３０…加熱蒸散器本体、４０…発熱体ユニット、４１…発熱体、４１ａ…上端、４６ａ…上端、５０…発熱体支持部、５１…収納部、５４…第２の胴部、５５…第１の上壁部、５６…フランジ部、５７…係合部、５８…通気孔、５８ａ…第１の通気孔、５８ｂ…第２の通気孔、５８ｃ…第３の通気孔、６０…カバー、６０ａ…内面、６１…第３の胴部、６１ａ…内面、６２…第２の上壁部、６２ａ…内面、６２ｂ…下端、６３…蒸散口、６４…リブ、６４ａ…第１の下端、６４ｂ…第１の上端、６４ｃ…第２の下端（下端）。
【図１】
2020198955.tif 000003
【図２】
2020198955.tif 000004
【図３】
2020198955.tif 000005
【図４】
2020198955.tif 000006
【図５】
2020198955.tif 000007
【図６】
2020198955.tif 000008
【図７】
2020198955.tif 000009
【図８】
2020198955.tif 000010
【図９】
2020198955.tif 000011